(57)【特許請求の範囲】
【請求項１】
外部から入力した映像信号に含まれる輝度信号の第１水平同期信号およびクロマ信号のバースト信号にそれぞれ同期した第２水平同期信号およびサブキャリア信号を発生する信号発生回路において、
前記第１水平同期信号の周波数と前記サブキャリア信号の周波数とが所定関係を満たすかどうかを判別する判別手段、および
前記所定関係を満たさないと判別されたとき前記サブキャリア信号の周波数を第１所定周波数に固定する第１固定手段を備えることを特徴とする、信号発生回路。
【請求項２】
前記所定関係を満たさないと判断されたとき前記第２水平同期信号の周波数を第２所定周波数に固定する第２固定手段をさらに備える、請求項１記載の信号発生回路。
【請求項３】
請求項１または２記載の信号発生回路を備える、ビデオカメラ。
【発明の詳細な説明】
【０００１】
【産業上の利用分野】
この発明は、信号発生回路に関し、特にたとえば、外部から入力した映像信号に含まれる輝度信号の水平同期信号およびクロマ信号のバースト信号にそれぞれ同期した水平同期信号およびサブキャリア信号を発生する、信号発生回路に関する。
【０００２】
【従来の技術】
複数のビデオカメラの映像信号をスイッチャで切り替えて１台のモニタに出力する場合に、切り替え時のモニタにおける同期乱れを防止する必要がある。そこで、ビデオカメラの映像信号と他のビデオカメラの映像信号とを同期させるために、ビデオカメラには外部から入力される映像信号と同期をとるための外部同期機能を備えているものがある。
【０００３】
ビデオカメラの外部同期機能では、外部から入力される映像信号に含まれる輝度信号とクロマ信号とに、自機の輝度信号とクロマ信号とをそれぞれ同期させた映像信号を生成する。
【０００４】
まず、外部から入力される映像信号（外部同期信号）に含まれる輝度信号から水平同期信号を抜き取り、同じく映像信号に含まれるクロマ信号からバースト信号を抜き取る。
【０００５】
そして、抜き取った水平同期信号と、ビデオカメラ出力信号の輝度信号の基準となるクロックを発生する発振回路から作った自機の水平同期信号とで位相比較し、自機の輝度信号の基準となるクロックを発生する発振回路の発振周波数を制御するＰＬＬ（Phase Locked Loop）を構成する。こうすることにより自機の輝度信号を外部から入力される他のビデオカメラの映像信号に含まれる輝度信号に同期させる。
【０００６】
また、抜き取ったバースト信号とビデオカメラ出力信号のクロマ信号の基準となるクロックを発生する発振回路から作った自機のサブキャリア信号（バースト信号）とで位相比較し、自機のクロマ信号の基準となるクロックを発生する発振回路の発振周波数を制御するＰＬＬを構成する。このことにより自機のクロマ信号を外部から入力される他のビデオカメラの映像信号に含まれるクロマ信号に同期させる。
【０００７】
このような輝度系とクロマ系との２つのＰＬＬを同時に動作させることによって、輝度信号とクロマ信号とがともに外部から入力される映像信号に含まれる輝度信号とクロマ信号とに同期した映像信号を出力することができる。
【０００８】
なお、以上は外部同期信号がバーストを持つ映像信号であるＶＢＳ（Video Burst SYNC）信号の場合（ＶＢＳモード）であるが、外部同期信号としてバーストのない映像信号であるＶＳ（Video SYNC）信号が入力される場合もある。また、外部同期信号の入力のない場合もあり得る。
【０００９】
映像信号がＶＳ信号の場合には、輝度系のＰＬＬのみを動作させ、クロマ系の周波数は、あらかじめ規格の周波数に調整された周波数とすることにより、輝度信号にのみ同期する外部同期動作を行う（ＶＳモード）。
【００１０】
外部同期信号の入力がない場合には、輝度信号の周波数とクロマ信号の周波数とが規格で定められた一定の比率になるように自己発振動作を行う（ＩＮＴモード）。
【００１１】
【発明が解決しようとする課題】
ビデオカメラから出力される映像信号の水平同期信号（輝度信号）の周波数とサブキャリア信号（クロマ信号）の周波数との比率は、ＮＴＳＣ（National Television System Committee）やＰＡＬ（Phase Alternation by Line）などの映像信号の規格によってそれぞれ決められている。しかし、ビデオカメラから出力される実際の映像信号には規格から外れているものが存在する。規格からはずれた映像信号を出力するビデオカメラがあると、これに同期している他のビデオカメラの映像信号も規格から外れてしまう。そして、映像信号が規格から大きく外れていると、この映像信号の出力を受けるモニタに色がつかなかったり、ＶＣＲ（Video Cassette Recorder）に色信号が記録されなかったりするといった問題が生じる。
【００１２】
それゆえに、この発明の主たる目的は、外部同期信号として入力される映像信号が規格から外れていてもモニタに色がつかなかったりＶＣＲに色信号が記録されなかったりするといったことのない、ビデオカメラを安価に提供することである。
【００１３】
【課題を解決するための手段】
この発明は、外部から入力した映像信号に含まれる輝度信号の第１水平同期信号およびクロマ信号のバースト信号にそれぞれ同期した第２水平同期信号およびサブキャリア信号を発生する信号発生回路において、第１水平同期信号の周波数とサブキャリア信号の周波数とが所定関係を満たすかどうかを判別する判別手段、および所定関係を満たさないと判別されたときサブキャリア信号の周波数を第１所定周波数に固定する第１固定手段を備えることを特徴とする、信号発生回路である。
【００１４】
【作用】
この発明においては、他のビデオカメラなどの外部から入力した第１水平同期信号およびバースト信号にそれぞれ同期した第２水平同期信号およびサブキャリア信号を発生する信号発生回路において、判別手段が、外部から入力された第１水平同期信号の周波数とサブキャリア信号の周波数とが所定関係を満たすかどうか、たとえば第１水平同期信号の周波数とサブキャリア信号の周波数との比率が所定の範囲内であるかどうかを判断する。そして、第１水平同期信号の周波数とサブキャリア信号の周波数とが所定の関係を満たさないと判別手段が判別したとき、第１固定手段がサブキャリア信号の周波数を第１固定周波数（ＮＴＳＣ規格やＰＡＬ規格などに定められた周波数）に固定する。したがって、他のビデオカメラなどの外部から入力されるバースト信号の周波数が規格から大きく外れている場合でも、信号発生回路（を含むビデオカメラ）からは、規格に則った正常なサブキャリア信号を含む映像信号が出力される。
【００１５】
【発明の効果】
この発明によれば、外部から入力されるバースト信号が規格から外れていても、規格に定められた周波数のサブキャリア信号（クロマ信号）を含む映像信号が出力されるので、この映像信号を受けるモニタに色がつかなかったり、ＶＣＲに色信号が記録されなかったりすることがない。
【００１６】
この発明の上述の目的，その他の目的，特徴および利点は、図面を参照して行う以下の実施例の詳細な説明から一層明らかとなろう。
【００１７】
【実施例】
図１を参照して、この実施例のビデオカメラの信号発生回路１０は、同期分離回路１２およびＢＰＦ（Band Pass Filter）３２を含む。同期分離回路１２およびＢＰＦ３２には、他のビデオカメラからの映像信号（コンポジット信号）が外部同期信号として入力される。
【００１８】
同期分離回路１２は、映像信号に含まれている輝度信号から水平同期信号を分離してＬＰＦ（Low Pass Filter）１４に与え、ＬＰＦ１４は水平同期信号を整形し、位相比較器１６に与える。
【００１９】
位相比較器１６，ＬＰＦ１８，周波数制御器２４，発振回路２６および分周器２８は直列に接続され、分周器２８の出力は位相比較器１６にフィードバックされて輝度系のＰＬＬを構成する。
【００２０】
位相比較器１６は、水平同期信号と、分周器２８から得られるフィードバック信号（水平同期信号）との位相比較を行い、位相差をパルス状の位相差信号にしてＬＰＦ１８に出力する。ＬＰＦ１８は位相差信号の交流分を取り除いて周波数制御器２４の制御電圧とする。周波数制御器２４は発振回路２６を制御してＬＰＦ１８から与えられた制御電圧に応じた周波数の信号を発振回路２６から出力させる。そして、分周器２８は発振回路２６から得られる信号の周波数を所定の割合（詳しくは後述する）で分周して、外部同期信号に含まれる水平同期信号に同期した水平同期信号を発生させる。また、分周器２８は分周した信号（水平同期信号）を位相比較器１６にフィードバックする。
【００２１】
このことによって、発振回路２６から得られる信号（クロック）が当該ビデオカメラの輝度信号の基準となり、分周器２８から得られる信号が、他のビデオカメラの映像信号（外部入力）の水平同期信号に同期される。
【００２２】
ＬＰＦ１８と周波数制御器２４との間には、同期モード設定回路５８によって接続先が切り替えられるスイッチ２２が配置されている。スイッチ２２は３つの接続端子を含んでいる。スイッチ２２が接続端子２２ａまたは接続端子２２ｂに接続されたときにはＬＰＦ１８と周波数制御器２４とが接続されて輝度系のＰＬＬが構成される。スイッチ２２が接続端子２２ｃに接続されたときには、ＶＣＯ（Voltage Controlled Oscillator）制御電圧２０が周波数制御器２４に接続される。この場合、周波数制御器２４はＶＣＯ制御電圧２０から与えられる一定電圧（ＤＣ電圧）に基づいて発振回路２６を制御する。これによって、ＮＴＳＣ規格もしくはＰＡＬ規格に定められている輝度信号の周波数で発振回路２６を発振させる。したがって、当該ビデオカメラの水平同期信号は、外部入力される他のビデオカメラの映像信号に含まれる水平同期信号と同期しない。
【００２３】
一方、ＢＰＦ３２は、映像信号からクロマ信号を抜き取り、位相検出器３３に与える。位相検出器３３は同期分離回路１２の出力からバースト信号の位相を検出することで、ＢＰＦ３２の出力からバースト信号のみを抽出して位相比較器３８に与える。
【００２４】
位相比較器３８，ＬＰＦ４０，周波数制御器４６，発信回路４８および分周器５０は直列に接続され、分周器５０の出力は位相比較器３８にフィードバックされてクロマ系のＰＬＬを構成する。
【００２５】
位相比較器３８は、位相検出器３３から出力されたバースト信号と、分周器５０から得られるフィードバック信号（サブキャリア信号）との位相比較を行い、位相差をパルス状の位相差信号にしてＬＰＦ４０に出力する。ＬＰＦ４０は位相差信号の交流分を取り除いて周波数制御器４６の制御電圧とする。周波数制御器４６は発振回路４８を制御してＬＰＦ４０から与えられた制御電圧に応じた周波数の信号を発振回路４８から出力させる。そして分周器５０は発振回路４８から得られる信号の周波数を所定の割合（詳しくは後述する）で分周してサブキャリア信号を発生させる。また、分周器５０は分周した信号を位相比較器３８にフィードバックする。
【００２６】
このことによって、発振回路４８から得られる信号（クロック）が当該ビデオカメラのクロマ信号（バースト信号）の基準となり、分周器５０から得られる信号が、他のビデオカメラの映像信号（外部入力）のバースト信号に同期される。
【００２７】
ＬＰＦ４０と周波数発振器４６との間には、同期モード設定回路５８によって接続先が切り替えられるスイッチ４４が配置されている。スイッチ４４は３つの接続端子を含んでいる。スイッチ４４が接続端子４４ａに接続されると、周波数制御器４６にはＬＰＦ４０が接続され、クロマ系のＰＬＬを構成する。スイッチ４４が接続端子４４ｂに接続されると、周波数制御器４６にはＶＣＯ制御電圧４２が接続される。この場合、周波数制御器４６はＶＣＯ制御電圧４２から与えられる一定電圧に基づいて発振回路４８を制御することにより、ＮＴＳＣ規格もしくはＰＡＬ規格に定められているクロマ信号の周波数で発振回路４８を発振させる。したがって、当該ビデオカメラのクロマ信号は、外部入力される他のビデオカメラの映像信号に含まれるクロマ信号（バースト信号）に同期しない。
【００２８】
また、スイッチ４４が接続端子４４ｃに接続されると、周波数制御器４６にはＬＰＦ３６が接続され、位相比較器３４，ＬＰＦ３６，周波数制御器４６，発信回路４８および分周器５０が、分周器３０の出力および分周器５０の出力を位相比較器３４への入力とするＰＬＬを構成する。このＰＬＬでは、分周器３０の出力に分周器５０の出力が同期する。上述したように、水平同期信号の周波数とサブキャリア信号の周波数との比率は規格によって一定に定められている。
【００２９】
そこで、スイッチ２２が接続端子２２ｃに接続されて、分周器２８からＮＴＳＣ規格またはＰＡＬ規格に従う周波数の水平同期信号が出力される場合、分周器３０は、発振回路２６の出力を分周してＮＴＳＣ規格またはＰＡＬ規格に従おう周波数のサブキャリア信号を出力する。そして、分周器３０の出力および分周器５０の出力を入力とするＰＬＬによって、分周器５０の出力が分周器３０の出力（サブキャリア信号）に同期される。
【００３０】
ところで、ＬＰＦ１４の出力は検波器５２に与えられ、位相検出器３３の出力は検波器５４に与えられる。そして、外部同期信号判定回路５６は、検波器５２および検波器５４の出力に基づいて、外部同期信号に輝度信号（水平同期信号）およびクロマ信号（バースト信号）が両方含まれるか（外部同期信号がＶＢＳ信号）、外部同期信号に輝度信号が含まれクロマ信号は含まれないか（外部同期信号がＶＳ信号）、それとも外部同期信号が存在しないかを判定する。さらに、同期モード設定回路５８は、外部同期信号判定回路５６の判定結果に基づいて動作モードを決定し、スイッチ２２およびスイッチ４４の接続先を切り替える。
【００３１】
つまり、外部同期信号がＶＢＳの場合、同期モード設定回路５８は、ＶＢＳモードを設定するべく、スイッチ２２を接続端子２２ａに接続し、スイッチ４４を接続端子４４ａに接続する。こうすることによって、輝度系のＰＬＬとクロマ系のＰＬＬとの両方が機能して、輝度信号とクロマ信号とがともに外部同期信号に含まれる輝度信号とクロマ信号とに同期する。
【００３２】
また、外部同期信号がＶＳ信号（クロマ信号を含まない）の場合、同期モード設定回路５８は、ＶＳモードを設定するべく、スイッチ２２を接続端子２２ｂに接続し、スイッチ４４を接続端子４４ｂに接続する。こうすることによって、輝度系のＰＬＬのみが機能して、輝度信号が外部同期信号に含まれる輝度信号に同期する。そして、クロマ信号はＮＴＳＣ規格またはＰＡＬ規格で定められた周波数に調整された周波数となる。
【００３３】
さらに、外部同期信号がない場合、同期モード設定回路５８は、ＩＮＴモードを設定するべく、スイッチ２２を接続端子２２ｃに接続し、スイッチ４４を接続端子４４ｃに接続する。こうすることによって、輝度系の発振回路２６の周波数とクロマ系の発振回路４８の周波数とがＮＴＳＣ規格またはＰＡＬ規格で定められた一定の比率となるように自己発振動作が行われる。
【００３４】
ところで、ビデオカメラから出力される映像信号に含まれる水平同期信号（輝度信号）の周波数とサブキャリア信号（クロマ信号）の周波数との比率は、ＮＴＳＣやＰＡＬなどの映像信号の規格によってそれぞれ決められている。しかし、ビデオカメラから出力される映像信号には規格から外れているものが存在する。規格からはずれた映像信号を出力するビデオカメラがあると、これに同期している他のビデオカメラの映像信号も規格から外れてしまう。そして、映像信号が規格から大きく外れていると、この映像信号の出力を受けるモニタに色がつかなかったり、ＶＣＲに色信号が記録されなかったりするといった問題が生じる。
【００３５】
そこで、この実施例の信号発生回路１０では、外部から入力される映像信号の水平同期信号の周波数と、信号発生回路１０が発生するサブキャリア信号の周波数（実際には分周器５０によってサブキャリア信号の周波数に分周される前の発振回路４８による出力の周波数である。周波数が高いほうが水平同期信号との比較が容易であるためである。）との比率を求め、両者の比率が規格から６０ｐｐｍ以上外れる場合、つまり規格から大きく外れている場合に、スイッチ２２およびスイッチ４４をＶＳモードに切り替える。このことによって、輝度信号のみが外部同期信号に含まれる輝度信号と同期し、クロマ信号は規格に定められた周波数の信号となる。
【００３６】
具体的には、ＬＰＦ１４の出力の周波数をカウンタ６０でカウントし、発振回路４８の出力の周波数をカウンタ６２でカウントする。そして、比較器６４は、カウンタ６０のカウント値とカウンタ６２のカウント値とに基づいて、水平同期信号の周波数と発振回路４８の出力の周波数との比率を求め、その比率を規格に定められている比率と比較して規格からどれだけ外れているかを演算する。そして、その演算結果を同期モード設定回路５８に与える。同期モード設定回路５８は演算結果に応じてスイッチ２２およびスイッチ４４のモードを切り替える。
【００３７】
図２のフロー図を用いて同期モード設定回路５８の動きを説明する。まず、はじめにステップＳ１において初期状態としてスイッチ２２およびスイッチ４４をＶＢＳモード（接続端子２２ａおよび４４ａに接続）に設定する。そして、ステップＳ３において、演算結果が±６０ｐｐｍ以上であるか、つまり水平同期信号の周波数と発振回路４８の出力の周波数との比率が規格に対して±６０ｐｐｍ以上ずれているかどうかを判断する。±６０ｐｐｍ以上ずれている場合には、ステップＳ５においてスイッチ２２およびスイッチ４４をＶＳモード（接続端子２２ｂおよび４４ｂに接続）に設定する。
【００３８】
一方、ステップＳ３において、±６０ｐｐｍ以上ずれていないと判断する場合には、ステップＳ７において、演算結果が±５０ｐｐｍ以下であるかどうかを判断する。そして、±５０ｐｐｍ以下である場合には、ステップＳ９においてスイッチ２２およびスイッチ４４をＶＢＳモードに設定する。なお、ステップＳ７において±５０ｐｐｍ以下でないと判断するとステップＳ９をスキップして現状のモードを保持する。
【００３９】
以上説明したように、この実施例の信号発生回路１０を含むビデオカメラによれば、水平同期信号の周波数とサブキャリアの周波数（発振回路４８の出力の周波数）との比率が規格よりも大きくずれている場合には、ＶＳモードにすることによって、輝度信号のみを外部同期信号の輝度信号に同期させ、クロマ信号は規格に定められた周波数とすることができる。したがって、外部同期信号に含まれるクロマ信号が規格から大きく外れている場合にも信号発生回路１０を含むビデオカメラからは、他のビデオカメラに悪影響を与えたり、モニタに色がつかなかったり、ＶＣＲに色信号が記録されなかったりすることがない信号が出力される。
【００４０】
また、水平同期信号の周波数とサブキャリアの周波数との比率が規格よりも大きくずれている場合に、ＶＳモードに設定するのではなく、ＩＮＴモード（スイッチ２２を接続端子２２ｃに接続し、スイッチ４４を接続端子４４ｃに接続する）に設定するようにしてもよい。このようにすれば、クロマ信号だけでなく、輝度信号も規格に定められた周波数とすることができる。したがって、外部同期信号に含まれる輝度信号が規格から大きく外れている場合にも、正常な周波数の輝度信号とクロマ信号とを出力することができる。
【００４１】
ＶＳモードおよびＩＮＴモードは従来のビデオカメラが備えている機能であるから、この実施例の信号発生回路１０を備えるビデオカメラは新たな回路を追加する必要がないので安価に実現することができる。
【００４２】
図３の（Ａ）に示すように、ビデオカメラ１０２の映像出力を基準として、他のビデオカメラ１０４，１０６および１０８の出力信号を同期させ、各ビデオカメラの出力信号をスイッチャ１１０によって選択してモニタ１１２に出力するビデオカメラシステムがある。ここで、ビデオカメラ１０２は、白黒モード時にクロマ系の発振回路を停止するカラー／白黒切り替え機能付ビデオカメラであるとする。
【００４３】
この場合、白黒モードからカラーモードに移行すると、クロマ系の発振回路は数秒間安定しないので、ビデオカメラ１０２の輝度系の周波数とクロマ系の周波数の比率は安定しない。したがって、ビデオカメラ１０４，１０６および１０８が従来のビデオカメラであれば、クロマ系の周波数が安定せず、クロマ系の信号に異常を持つ信号が出力されて、モニタ１１２に色がつかないという問題が発生する。
【００４４】
しかし、この実施例の信号発生回路１０を備えるビデオカメラであれば、ビデオカメラ１０２のクロマ系の発振回路が安定しない間は、規格に定められた周波数のクロマ信号が出力されるので、モニタ１１２に色がつかないという問題は発生しない。
【００４５】
また、図３の（Ｂ）に示すように、ビデオカメラ１２２の映像出力にビデオカメラ１２４を同期させ、ビデオカメラ１２４の映像出力にビデオカメラ１２６を同期させ、各ビデオカメラの出力信号をスイッチャ１２８で選択してモニタ１３０に出力するビデオカメラシステムがある。ここで、ビデオカメラ１２２は、白黒モード時にクロマ系の発振回路を停止するというカラー／白黒切り替え機能付ビデオカメラであるとする。
【００４６】
この場合に、ビデオカメラ１２２が白黒モードで、ビデオカメラ１２４およびビデオカメラ１２６がカラーモードで動作していると、ビデオカメラ１２２はＶＳ信号を出力するので、ビデオカメラ１２４はＶＳモードとなる。このとき、ビデオカメラ１２４が従来のものであれば、ビデオカメラ１２４の出力する映像信号のクロマ信号は、あらかじめ工場出荷時に調整された周波数となり、輝度信号はビデオカメラ１２２の輝度信号に同期した周波数となる。したがって、輝度信号とクロマ信号との比率が規格に定められた比率とはならない。さらにビデオカメラ１２６がＶＢＳモードとなるが、外部同期信号、すなわちビデオカメラ１２４の出力が規格で定められた比率を持たないことがあり、このような異常な外部同期信号を基に外部同期動作を行ったビデオカメラ１２６の出力は以上になり、ビデオカメラ１２６からの映像信号を受けるスイッチャ１２８やモニタ１３０が誤動作を起こす恐れがある。
【００４７】
しかし、ビデオカメラ１２６がこの実施例の信号発生回路１０を備えるビデオカメラであれば、クロマ信号は規格で定められた周波数となるので、ビデオカメラ１２６の映像信号を受けるスイッチャ１２８やモニタ１３０が誤動作する恐れがない。
【００４８】
以下に、規格値について説明する。ＮＴＳＣ規格の場合、まず、発振回路２６の周波数は、２８６３６．３６０ＫＨｚである。そして、分周器２８は１／１８２０に分周し、その出力は１５．７３４２６４ＫＨｚであり、分周器３０は１／８に分周し、その出力は３５７９．５４５ＫＨｚである。また、発振回路４８の周波数は、１４３１８．１８０である。そして、分周器５０は１／４に分周し、その出力は３５７９．５４５ＫＨｚである。
【００４９】
カウンタ６０に入力される同期信号（輝度信号）の規格上の周波数ｆＨは、１５．７３４２６４ＫＨｚであり、カウンタ６２に入力される発振回路４８の規格上の周波数４ｆｓｃは、１４３１８．１８０ＫＨｚである。したがって、両者の規格上の比率、４ｆｓｃ／ｆＨは、９１０である。
【００５０】
ＰＡＬ規格の場合、まず、発振回路２６の周波数は、２８３７５．０００ＫＨｚである。そして、分周器２８は１／１８１６に分周し、その出力は１５．６２５ＫＨｚであり、分周器３０は５／３２に分周し、その出力は４４３３．６１８７５ＫＨｚである。また、発振回路４８の周波数は、１７７３４．４７５ＫＨｚである。そして、分周器５０は１／４に分周し、その出力は４４３３．６１８７５ＫＨｚである。
【００５１】
カウンタ６０に入力される同期信号（輝度信号）の規格上の周波数ｆＨは、１５．６２５ＫＨｚであり、カウンタ６２に入力される発振回路４８の規格上の周波数４ｆｓｃは、１７７３４．４７５ＫＨｚである。したがって、両者の規格上の比率、４ｆｓｃ／ｆＨは、１１３５である。
【００５２】
なお、上述した実施例は形態を種々に変更することができる。たとえば、カウンタ６０はＬＰＦ１４が出力する信号の周波数をカウントすることとしたが、これに替えて図４に示すように、カウンタ６０は分周器２８の出力する信号の周波数をカウントするようにしてもよい。
【図面の簡単な説明】
【図１】この発明の一実施例の全体構成を示すブロック図である。
【図２】同期モード設定回路の動作を示すフロー図である。
【図３】（Ａ）と（Ｂ）とはともに、この発明によって解決される問題点を説明する図解図である。
【図４】この発明のその他の実施例の全体構成を示すブロック図である。
【符号の説明】
１０  …同期回路
２０  …ＶＣＯ制御電圧
２２  …スイッチ
２４  …周波数制御器
２６  …発振回路
２８  …分周器
３０  …分周器
４２  …ＶＣＯ制御電圧
４４  …スイッチ
４６  …周波数制御器
４８  …発振回路
５０  …分周器
５８  …同期モード設定回路
６０  …カウンタ
６２  …カウンタ
６４  …比較器
【図１】
0003723514.tif 000002
【図２】
0003723514.tif 000003
【図３】
0003723514.tif 000004
【図４】
0003723514.tif 000005